【手続補正書】
【提出日】平成30年4月17日(2018.4.17)
【手続補正１】
【補正対象書類名】特許請求の範囲
【補正対象項目名】全文
【補正方法】変更
【補正の内容】
【特許請求の範囲】
【請求項１】
ビデオコーディング規格への準拠を試験する方法であって、
ビデオデータの符号化された表現を含むビットストリームから、出力レイヤセットに対する複数の異なる分割方式を指示する1つまたは複数のシンタックス要素を取得するステップであって、
前記ビットストリームは、複数のレイヤを備え、
前記出力レイヤセットは、前記複数のレイヤのすべてのレイヤ、または前記複数のレイヤの真部分集合であるサブセットからなり、
前記複数の異なる分割方式のうちの各それぞれの分割方式について、前記それぞれの分割方式は、1つまたは複数のパーティションへの前記出力レイヤセットの分割を指定し、前記出力レイヤセット内の各レイヤは、前記それぞれの分割方式においてちょうど1つのパーティションに属す、ステップと、
前記複数の異なる分割方式のうちの各それぞれの分割方式について、前記ビットストリーム内の付加拡張情報(SEI)メッセージまたは前記ビットストリーム内のビデオパラメータセット(VPS)内のビデオユーザビリティ情報(VUI)から、前記それぞれの分割方式に対する仮想参照デコーダ(HRD)パラメータセットを指示するシンタックス要素のそれぞれのセットを取得するステップと
前記それぞれの分割方式の各それぞれのパーティションについて、前記それぞれの分割方式に対する前記HRDパラメータセットに基づき、前記ビデオコーディング規格への準拠に関して前記それぞれのパーティションを試験するステップと、
を含む方法。
【請求項２】
前記それぞれのパーティションを試験するステップは、前記それぞれのパーティションが前記出力レイヤセットのすべてのレイヤを必ずしも含まないことに基づき、パーティション特有のコーディングピクチャバッファ(CPB)操作を適用するステップをさらに含む請求項1に記載の方法。
【請求項３】
前記それぞれの分割方式に対する前記HRDパラメータセットを指示するシンタックス要素の前記それぞれのセットを取得するステップは、
前記VUI内のビットストリームスケジューリングパラメータ(BSP)シンタックス構造から、1つまたは複数のHRDパラメータセットを取得するステップと、
前記それぞれの分割方式に対する1つまたは複数のスケジュール組合せのセット内の各それぞれの組合せについて、
前記それぞれの分割方式の各それぞれのパーティションについて、
前記BSPシンタックス構造から、前記BSPシンタックス構造内の前記それぞれのパーティションに対するHRDパラメータセットを指定するそれぞれのシンタックス要素および配信スケジュールを指定するそれぞれのシンタックス要素を取得するステップとを含む請求項1に記載の方法。
【請求項４】
前記それぞれの分割方式に対する前記HRDパラメータセットを指示するシンタックス要素の前記それぞれのセットを取得するステップは、
前記SEIメッセージ内のビットストリームスケジューリングパラメータ(BSP)シンタックス構造から、1つまたは複数のHRDパラメータセットを取得するステップと、
前記それぞれの分割方式に対する1つまたは複数のスケジュール組合せのセット内の各それぞれの組合せについて、
前記それぞれの分割方式の各それぞれのパーティションについて、
前記BSPシンタックス構造から、前記BSPシンタックス構造内の前記それぞれのパーティションに対するHRDパラメータセットを指定するそれぞれのシンタックス要素および配信スケジュールを指定するそれぞれのシンタックス要素を取得するステップとを含む請求項1に記載の方法。
【請求項５】
前記ビットストリームの準拠は、前記1つまたは複数の分割方式の各々の前記パーティションのすべての準拠に基づき定義される請求項1に記載の方法。
【請求項６】
前記サブビットストリームを試験するステップは、ビットストリーム準拠試験を実行して前記パーティションの各々の準拠を試験するステップを含む、請求項1に記載の方法。
【請求項７】
前記それぞれのパーティションの前記準拠を試験するステップは、前記それぞれのパーティションに含まれていない、前記それぞれのパーティション内の前記レイヤのうちの直接的および間接的参照レイヤからの復号されたピクチャおよび他の必要な情報が、前記それぞれのパーティション内の前記レイヤの前記ピクチャを復号する時点において利用可能であると仮定する請求項1に記載の方法。
【請求項８】
ビデオコーディング規格への準拠を試験するデバイスであって、
ビデオデータの符号化された表現を含むビットストリームから、出力レイヤセットに対する複数の異なる分割方式を指示する1つまたは複数のシンタックス要素を取得するための手段であって、
前記ビットストリームは、複数のレイヤを備え、
前記出力レイヤセットは、前記複数のレイヤのすべてのレイヤ、または前記複数のレイヤの真部分集合であるサブセットからなり、
前記複数の異なる分割方式のうちの各それぞれの分割方式について、前記それぞれの分割方式は、1つまたは複数のパーティションへの前記出力レイヤセットの分割を指定し、前記出力レイヤセット内の各レイヤは、前記それぞれの分割方式においてちょうど1つのパーティションに属す、手段と、
前記複数の異なる分割方式のうちの各それぞれの分割方式について、前記ビットストリーム内の付加拡張情報(SEI)メッセージまたは前記ビットストリーム内のビデオパラメータセット(VPS)内のビデオユーザビリティ情報(VUI)から、前記それぞれの分割方式に対する仮想参照デコーダ(HRD)パラメータセットを指示するシンタックス要素のそれぞれのセットを取得するための手段と
前記それぞれの分割方式に対する前記HRDパラメータセットに基づき、前記ビデオコーディング規格への準拠に関して前記それぞれのパーティションを試験するための手段と、
を備える、デバイス。
【請求項９】
前記それぞれのパーティションを試験するための手段は、前記出力レイヤセットのすべてのレイヤを必ずしも含まない前記それぞれのパーティションに基づき、パーティション特有のコーディングピクチャバッファ(CPB)操作を適用するための手段を備える、請求項8に記載のデバイス。
【請求項１０】
前記それぞれの分割方式に対する前記HRDパラメータセットを指示するシンタックス要素の前記それぞれのセットを取得するための手段は、
前記VUI内のビットストリームスケジューリングパラメータ(BSP)シンタックス構造から、1つまたは複数のHRDパラメータセットを取得するための手段と、
前記それぞれの分割方式に対する1つまたは複数のスケジュール組合せのセット内の各それぞれの組合せについて、
前記それぞれの分割方式の各それぞれのパーティションについて、
前記BSPシンタックス構造から、前記BSPシンタックス構造内の前記それぞれのパーティションに対するHRDパラメータセットを指定するそれぞれのシンタックス要素および配信スケジュールを指定するそれぞれのシンタックス要素を取得するための手段と、
を備える、請求項8に記載のデバイス。
【請求項１１】
前記それぞれの分割方式に対する前記HRDパラメータセットを指示するシンタックス要素の前記それぞれのセットを取得するための手段は、
前記SEIメッセージ内のビットストリームスケジューリングパラメータ(BSP)シンタックス構造から、1つまたは複数のHRDパラメータセットを取得するための手段と、
前記それぞれの分割方式に対する1つまたは複数のスケジュール組合せのセット内の各それぞれの組合せについて、
前記それぞれの分割方式の各それぞれのパーティションについて、
前記BSPシンタックス構造から、前記BSPシンタックス構造内の前記それぞれのパーティションに対するHRDパラメータセットを指定するそれぞれのシンタックス要素および配信スケジュールを指定するそれぞれのシンタックス要素を取得するための手段と
を備える、請求項8に記載のデバイス。
【請求項１２】
前記ビットストリームの準拠は、前記複数の異なる分割方式の各々の前記パーティションのすべての準拠に基づき定義される請求項8に記載のデバイス。
【請求項１３】
前記それぞれのパーティションの前記準拠を試験するための手段は、前記それぞれのパーティション内の前記レイヤのうちの直接的および間接的参照レイヤからの復号されたピクチャおよび他の必要な情報が、前記それぞれのパーティション内の前記レイヤの前記ピクチャを復号する時点において利用可能であると仮定する請求項8に記載のデバイス。